(57)【要約】【課題】  相手先ファクシミリ番号等の相手先コードを示すバーコード又は２次元コードや相手先名を効率良く印刷できる画像通信装置を提供する。【解決手段】  複数枚のラベル３３を有するラベルシート３１の印刷テンプレート、相手先コード５６、及び相手先名５４を設定する印刷設定手段と、設定された相手先コード５６をバーコード５５又は２次元コードに変換する変換手段と、設定された印刷テンプレートに基づいて、設定された相手先名５４及び変換されたバーコード５５又は２次元コードをラベルシート３１の各ラベル３３にそれぞれ印刷する印刷手段と、を備えた。【選択図】      図１４
2007166546.tif 000002
【特許請求の範囲】
【請求項１】
複数枚のラベルを有するラベルシートの印刷テンプレート、相手先コード、及び相手先名を設定する印刷設定手段と、
この印刷設定手段により設定された相手先コードをバーコード又は２次元コードに変換する変換手段と、
前記印刷設定手段により設定された印刷テンプレートに基づいて、前記印刷設定手段により設定された相手先名及び前記変換手段により変換されたバーコード又は２次元コードを前記ラベルシートの各ラベルにそれぞれ印刷する印刷手段と、
を備えたことを特徴とする画像通信装置。
【請求項２】
前記印刷手段は、前記印刷設定手段により設定された印刷テンプレートに基づいて、前記印刷設定手段により設定された相手先名及び相手先コード、並びに前記変換手段により変換されたバーコード又は２次元コードを前記ラベルシートの各ラベルにそれぞれ印刷することを特徴とする請求項１記載の画像通信装置。
【請求項３】
前記ラベルシートの品番を設定する品番設定手段と、
前記ラベルシートの品番と印刷テンプレートのファイル名とを対応付けて記憶する印刷テンプレートデータベースと、
前記ラベルシートの品番と印刷テンプレートのダウンロードサイトのＵＲＬとを対応付けて記憶するＵＲＬデータベースと、
前記品番設定手段により設定された品番が前記印刷テンプレートデータベースに記憶されていない場合に、前記ＵＲＬデータベースを検索し、前記品番設定手段により設定された品番に対応するＵＲＬを抽出するＵＲＬ抽出手段と、
このＵＲＬ抽出手段により抽出されたＵＲＬであるダウンロードサイトにネットワークを介してアクセスし、前記品番設定手段により設定された品番に対応する印刷テンプレートをダウンロードするダウンロード手段と、
を備え、
前記印刷設定手段は、前記ラベルシートの印刷テンプレートとして、前記ダウンロード手段によりダウンロードされた印刷テンプレートを設定することを特徴とする請求項１又は２記載の画像通信装置。
【請求項４】
前記ラベルシートの印刷テンプレートを記憶する記憶手段と、
前記ラベルシートの品番と印刷テンプレートのファイル名とを対応付けて記憶する印刷テンプレートデータベースと、
前記ラベルシートの品番を示すバーコード又は２次元コードの表示物の画像データを読み取る読取手段と、
この読取手段により読み取られた画像データから前記ラベルシートの品番を示すバーコード又は２次元コードの画像データを抽出して品番にデコードするデコード手段と、
前記印刷テンプレートデータベースを検索し、前記デコード手段によりデコードされた品番に対応するファイル名を抽出するファイル名抽出手段と、
を備え、
前記印刷設定手段は、前記ラベルシートの印刷テンプレートとして、前記記憶手段により記憶されかつ前記ファイル名抽出手段により抽出されたファイル名である印刷テンプレートを設定することを特徴とする請求項１から３のいずれか記載の画像通信装置。
【発明の詳細な説明】
【技術分野】
【０００１】
本発明は、相手先名、及び相手先ファクシミリ番号等の相手先コードを示すバーコード又は２次元コードを用紙に印刷できる画像通信装置に関するものである。
【背景技術】
【０００２】
相手先ファクシミリ番号の誤入力を防止するための従来の画像通信装置としては、例えば、相手先ファクシミリ番号を入力しかつバーコードモードに設定する入力部と、入力された相手先ファクシミリ番号を記憶する記憶部と、記憶された相手先ファクシミリ番号をバーコードに変換する変換部と、変換されたバーコードを用紙に印刷する印刷部と、印刷された用紙のバーコードを含む部分を貼り付けた原稿の画像データを読み取る読取部と、読み取られた画像データからバーコードの画像データを抽出して相手先ファクシミリ番号にデコードするデコード部と、デコードされた相手先ファクシミリ番号をダイヤルするダイヤル部とを備えたバーコードファクシミリ装置が知られている（例えば、特許文献１参照。）。
【特許文献１】特開平６−７００５１号公報（請求項１等）
【発明の開示】
【発明が解決しようとする課題】
【０００３】
しかし、上記のような従来のバーコードファクシミリ装置では、必要とするバーコードの数だけ印刷を繰り返さなければならないので、バーコードを効率良く印刷できないという問題点がある。
【０００４】
本発明は、以上のような問題点に鑑みてなされたものであり、相手先ファクシミリ番号等の相手先コードを示すバーコード又は２次元コードや相手先名を効率良く印刷できる画像通信装置の提供を目的とする。
【課題を解決するための手段】
【０００５】
上記目的を達成するための請求項１の発明は、複数枚のラベルを有するラベルシートの印刷テンプレート、相手先コード、及び相手先名を設定する印刷設定手段と、この印刷設定手段により設定された相手先コードをバーコード又は２次元コードに変換する変換手段と、前記印刷設定手段により設定された印刷テンプレートに基づいて、前記印刷設定手段により設定された相手先名及び前記変換手段により変換されたバーコード又は２次元コードを前記ラベルシートの各ラベルにそれぞれ印刷する印刷手段と、を備えたものである。
【０００６】
請求項２の発明は、前記印刷手段は、前記印刷設定手段により設定された印刷テンプレートに基づいて、前記印刷設定手段により設定された相手先名及び相手先コード、並びに前記変換手段により変換されたバーコード又は２次元コードを前記ラベルシートの各ラベルにそれぞれ印刷するものである。
【０００７】
請求項３の発明は、前記ラベルシートの品番を設定する品番設定手段と、前記ラベルシートの品番と印刷テンプレートのファイル名とを対応付けて記憶する印刷テンプレートデータベースと、前記ラベルシートの品番と印刷テンプレートのダウンロードサイトのＵＲＬとを対応付けて記憶するＵＲＬデータベースと、前記品番設定手段により設定された品番が前記印刷テンプレートデータベースに記憶されていない場合に、前記ＵＲＬデータベースを検索し、前記品番設定手段により設定された品番に対応するＵＲＬを抽出するＵＲＬ抽出手段と、このＵＲＬ抽出手段により抽出されたＵＲＬであるダウンロードサイトにネットワークを介してアクセスし、前記品番設定手段により設定された品番に対応する印刷テンプレートをダウンロードするダウンロード手段と、を備え、前記印刷設定手段は、前記ラベルシートの印刷テンプレートとして、前記ダウンロード手段によりダウンロードされた印刷テンプレートを設定するものである。
【０００８】
請求項４の発明は、前記ラベルシートの印刷テンプレートを記憶する記憶手段と、前記ラベルシートの品番と印刷テンプレートのファイル名とを対応付けて記憶する印刷テンプレートデータベースと、前記ラベルシートの品番を示すバーコード又は２次元コードの表示物の画像データを読み取る読取手段と、この読取手段により読み取られた画像データから前記ラベルシートの品番を示すバーコード又は２次元コードの画像データを抽出して品番にデコードするデコード手段と、前記印刷テンプレートデータベースを検索し、前記デコード手段によりデコードされた品番に対応するファイル名を抽出するファイル名抽出手段と、を備え、前記印刷設定手段は、前記ラベルシートの印刷テンプレートとして、前記記憶手段により記憶されかつ前記ファイル名抽出手段により抽出されたファイル名である印刷テンプレートを設定するものである。
【発明の効果】
【０００９】
請求項１の発明によれば、設定された印刷テンプレートに基づいて、設定された相手先名及び変換されたバーコード又は２次元コードをラベルシートの各ラベルにそれぞれ印刷できるので、相手先コードを示すバーコード又は２次元コードや相手先名を効率良く印刷することができる。
【００１０】
請求項２の発明によれば、設定された相手先コードも各ラベルにそれぞれ印刷するので、原稿の画像データをファクシミリ送信又はインターネットファクシミリ送信する相手先コードを確認することができる。
【００１１】
請求項３の発明によれば、ラベルシートの印刷テンプレートとして、ダウンロードされた印刷テンプレートを設定するので、記憶手段により記憶されていない印刷テンプレートを必要に応じてダウンロードするだけで対応できると共に、記憶手段の記憶容量を節約できる。
【００１２】
請求項４の発明によれば、ラベルシートの印刷テンプレートとして、抽出されたファイル名である印刷テンプレートを設定するので、ラベルシートの品番の手入力を省略でき、そのため、品番を簡単に設定できると共に、品番の誤入力を防止できる。
【発明を実施するための最良の形態】
【００１３】
以下、本発明の実施形態を図面に基づいて説明する。
本実施形態に係る画像通信装置１は、図１に示すように、主な構成要素として、制御部２、フラッシュメモリ３、ＲＡＭ（random access memory、随時書き込み読み出しメモリ）４、ページメモリ５、画像メモリ６、記録部７、ＬＡＮ（local area network、構内情報通信網）インターフェース（ＬＡＮ Ｉ／Ｆ）８、操作部９、表示部１０、コーデック（ＣＯＤＥＣ）１１、読取部１２、モデム１３、ＮＣＵ（network control unit、回線網制御装置）１４を備えたものであり、各構成要素はバス１５を介して互いに通信可能に接続されている。
【００１４】
ＬＡＮインターフェース８は、ＬＡＮ（ネットワーク）２１及びインターネット（ネットワーク）２２に接続されている。ＬＡＮ２１はインターネット２２に接続されており、このインターネット２２にはダウンロードサイト２３が接続されている。ＮＣＵ１４は、ネットワークとしてのＰＳＴＮ（public switched telephone network、公衆電話交換網）２４に接続されている。ダウンロードサイト２３には、図２のようなラベルシート３１の印刷テンプレートが格納されている。
【００１５】
フラッシュメモリ３は、各構成要素の動作を制御するための制御プログラム、図２のようなラベルシート３１の印刷テンプレート、図３のような印刷テンプレートデータベース、図４のようなワンタッチダイヤルデータベース、図５のようなＵＲＬデータベース、図６のような相手先コード及び相手先名の設定モード４１並びにメッセージ４２、図７のようなラベルシートの品番の設定モード４３及びメッセージ４４、図８のような回答４５及びメッセージ４６、図９のようなメッセージ４７等を記憶している。これら制御プログラム等を記憶する記憶手段は、フラッシュメモリ３の他、ＲＯＭ（read only memory、読み出し専用メモリ）やＨＤＤ（ハードディスクドライブ）等であってもよい。
【００１６】
ラベルシート３１は、図２に示すように、台紙としての剥離紙３２に複数枚のラベル３３を縦横に並べるようにして剥離可能に貼り付けたものである。このようなラベルシート３１では、上下左右の少なくともいずれかに余白部分があってもよいし、剥離紙３２が複数の部分に分割されたものであってもよい。また、ラベル３３の並び方も特に限定されるものではなく、適宜変更可能である。
【００１７】
印刷テンプレートデータベースは、図３に示すように、ラベルシート３１の品番と印刷テンプレートのファイル名とを対応付けて記憶している。ワンタッチダイヤルデータベースは、図４に示すように、ワンタッチキーの番号と、相手先コード及び相手先名とを対応付けて記憶している。相手先コードとしては、相手先ファクシミリ番号や相手先電子メールアドレス等が挙げられる。ＵＲＬデータベースは、図５に示すように、ラベルシート３１の品番と印刷テンプレートのダウンロードサイト２３のＵＲＬ（uniform resource locator）とを対応付けて記憶している。
【００１８】
制御部２は、ＭＰＵ（micro processing unit、超小型演算処理ユニット）等で構成されており、フラッシュメモリ３上の制御プログラム等に従って各構成要素の動作を制御する。
【００１９】
ＲＡＭ４は、画像通信装置１に関する各種の情報（図９のような受信履歴情報４８、図示しない送信履歴情報等）を一時的に記憶する。受信履歴情報４８としては、図９に示すように、相手先名、相手先コード、モード、開始日時、時間、枚数、結果、備考等が挙げられる。送信履歴情報としても、図示しないが、相手先名、相手先コード、モード、開始日時、時間、枚数、結果、備考等が挙げられる。
【００２０】
表示部１０は、操作部９等に併設されたＬＣＤ（liquid crystal display、液晶ディスプレイ）等で構成されており、各種の情報を表示する。操作部９は、各種の操作をするための操作キー（ワンタッチキー、スタートキー、テンキー、選択キー等）を備えている。画像通信装置１に対するユーザによる各種の操作は、この操作部９を通じて行われる。なお、表示部１０をタッチパネルとしておき、このタッチパネルとしての表示部１０が操作部９としても機能するように構成してもよい。
【００２１】
モデム１３は、ＩＴＵ−Ｔ（国際電気通信連合−電気通信標準化部門）勧告のＶ．３４手順やＧ３（group 3）手順（ＩＴＵ−Ｔ勧告のＶ．２１手順）等に従った送信データの変調及び受信データの復調を行う。ＮＣＵ１４は、電話回線を制御して電話をかけたり切ったりする。
【００２２】
読取部１２は、図１０のような原稿５１の画像データ、図１１のようなラベルシート３１の品番を示すバーコード５２又は図示しない２次元コードを表示したパッケージ（表示物）５３の画像データ等を読み取る。ラベルシート３１の品番を示すバーコード５２又は２次元コードの表示物としては、ラベルシート３１のパッケージ５３の他、品番を示すバーコード５２又は２次元コードが図示しない余白部分又は裏面等に表示されたラベルシート３１等が挙げられる。２次元コードとしては、ＱＲ（quick response）コード（登録商標）、マイクロＱＲコード等が挙げられる。
【００２３】
ページメモリ５は、読取部１２により読み取られた画像データ、コーデック１１により復号化された画像データ等を一時的に記憶する。コーデック１１は、ページメモリ５により記憶された画像データを送信等のためにＭＨ（modified Huffman）方式、ＭＲ（modified read）方式、ＭＭＲ（modified modified read）方式等により符号化したり、画像メモリ６により記憶された画像データを印刷のために復号化したりする。画像メモリ６は、コーデック１１により符号化された画像データや、モデム１３又はＬＡＮインターフェース８を介して受信した画像データ等を一時的に記憶する。記録部７は、コーデック１１により復号化された画像データ等を電子写真方式等によりラベルシート３１等の用紙に印刷する。
【００２４】
上記のように構成された画像通信装置１は、プリンタ及びファクシミリ通信機もしくはインターネットファクシミリ通信機として機能する複合機であるが、更にコピー機、スキャナ、ネットワークプリンタ、及びネットワークスキャナのうちの少なくともいずれかとして機能するものであってもよい。
【００２５】
次に、ラベルシート３１への印刷処理の一例を図１２〜図１９に示すフローチャートに基づいて説明する。なお、この処理は、フラッシュメモリ３上の制御プログラム等に基づいて制御部２が発行する命令に従って行われる。
【００２６】
この処理においては、図１２のように操作部９によりバーコード発行モードがＯＮにされた（ステップＳ１）後、図６に示すように、表示部１０に相手先コード及び相手先名の設定モード４１が一覧表示されると共に、設定モード４１の選択を求める旨のメッセージ４２が表示される（ステップＳ２）。相手先コード及び相手先名の設定モード４１としては、ワンタッチキーで呼び出す旨の設定モード４１、直接入力する旨の設定モード４１、受信履歴から呼び出す旨の設定モード４１、送信履歴から呼び出す旨の設定モード４１等が挙げられる。
【００２７】
なお、ＱＲコード等の２次元コードを発行する場合は、操作部９により２次元コード発行モードがＯＮにされるように構成しておけばよい。この場合、以下の各処理においては、バーコードの代わりに２次元コードを使用し、「バーコード」との語句の代わりに「２次元コード」との語句を使用すればよい。
【００２８】
そして、操作部９により設定モード４１が選択され（ステップＳ３）、図６のようにワンタッチキーで呼び出す旨の設定モード４１が選択された場合は（ステップＳ４でＹＥＳ）、図示しないが、ワンタッチキーの操作を求める旨のメッセージが表示部１０に表示される（ステップＳ５）。このメッセージも、フラッシュメモリ３に記憶されている。
【００２９】
次いで、操作部９のうちのワンタッチキーが操作された（ステップＳ６）後、図４のようなワンタッチキーダイヤルデータベースが検索され、操作されたワンタッチキーの番号（例えば、「０１」）に対応する相手先コード（例えば「075-123-4567」）及び相手先名（例えば「Ａショウジ」）が抽出される（ステップＳ７）。
【００３０】
そして、相手先コード及び相手先名として、抽出された相手先コード及び相手先名が設定された（ステップＳ８）後、図７に示すように、表示部１０にラベルシート３１の品番の設定モード４３が一覧表示されると共に、設定モード４３の選択を求める旨のメッセージ４４が表示される（ステップＳ９）。ラベルシート３１の品番の設定モード４３としては、品番のバーコードを読み取る旨の設定モード４３、品番を直接入力する旨の設定モード４３等が挙げられる。
【００３１】
次いで、操作部９により設定モード４３が選択され（ステップＳ１０）、図７及び図１３のように品番のバーコードを読み取る旨の設定モード４３が選択された場合は（ステップＳ１１でＹＥＳ）、図示しないが、品番を示すバーコードの表示物のセット及びスタートキーの操作を求める旨のメッセージが表示部１０に表示される（ステップＳ１２）。このメッセージも、フラッシュメモリ３に記憶されている。
【００３２】
そして、操作部９のうちのスタートキーが操作され（ステップＳ１３）、図１１のようなパッケージ５３等のラベルシート３１の品番を示すバーコードの表示物の画像データが読取部１２により読み取られた（ステップＳ１４）後、読み取られた画像データから品番を示すバーコード５２の画像データが抽出されて品番にデコードされる（ステップＳ１５）。
【００３３】
次いで、ラベルシート３１の品番として、デコードされた品番が設定された（ステップＳ１６）後、図３のような印刷テンプレートデータベースが検索される（ステップＳ１７）。ここで、設定された品番が印刷テンプレートデータベースに登録されている場合は（ステップＳ１８でＹＥＳ）、設定された品番に対応するファイル名が抽出され（ステップＳ１９）、ラベルシート３１の印刷テンプレートとして、抽出されたファイル名である印刷テンプレートが設定される（ステップＳ２０）。このように、ラベルシート３１の印刷テンプレートとして、抽出されたファイル名である印刷テンプレートを設定するように構成しておけば、ラベルシート３１の品番の手入力を省略できるので、品番を簡単に設定できると共に、品番の誤入力を防止できるという利点がある。
【００３４】
そして、図１４のように、設定された相手先コードがバーコードに変換された（ステップＳ２１）後、設定された相手先名の画像データ、変換されたバーコードの画像データ、及び設定された相手先コードの画像データが生成される（ステップＳ２２）。
【００３５】
次いで、生成された相手先名の画像データ、バーコードの画像データ、及び相手先コードの画像データが、設定された印刷テンプレート上に配置されてページメモリ５に展開された（ステップＳ２３）後、図示しないが、印刷枚数の入力及びスタートキーの操作を求める旨のメッセージが表示部１０に表示される（ステップＳ２４）。このメッセージも、フラッシュメモリ３に記憶されている。
【００３６】
そして、操作部９により印刷枚数が入力され（ステップＳ２５）、操作部９のうちのスタートキーが操作された（ステップＳ２６）後、図２０に示すように、展開された画像データがラベルシート３１に印刷される（ステップＳ２７）。即ち、図２０のように、設定された印刷テンプレートに基づいて、設定された相手先名５４及び変換されたバーコード５５がラベルシート３１の各ラベル３３にそれぞれ印刷される。ここで、本実施形態のように、設定された相手先コード５６も各ラベル３３にそれぞれ印刷するように構成しておけば、原稿５１の画像データをファクシミリ送信又はインターネットファクシミリ送信する相手先コード５６を確認できるという利点がある。
【００３７】
なお、設定された相手先名５４、変換されたバーコード５５、及び設定された相手先コード５６を印刷したラベル３３は、図１０に示すように、原稿５１の適宜の位置に貼り付けられる。原稿５１が複数ページである場合、ラベル３３は原稿５１の１ページ目等に貼り付けられる。ラベル３３を貼り付けた原稿５１の画像データは、読取部１２により読み取られる。また、画像通信装置１は、読み取られた原稿５１の画像データから相手先コード５６を示すバーコード５５の画像データを抽出して相手先コード５６にデコードするデコード手段と、このデコード手段によりデコードされた相手先コード５６に基づいて、読み取られた原稿５１の画像データをファクシミリ送信又はインターネットファクシミリ送信する送信手段とを備えている。
【００３８】
次いで、入力された印刷枚数に達し（ステップＳ２８でＹＥＳ）、かつワンタッチキーで呼び出す旨の設定モード４１が選択されていた場合は（ステップＳ２９でＹＥＳ）、処理が終了する。
【００３９】
図１２のステップＳ４において、ワンタッチキーで呼び出す旨の設定モード４１が選択されていない（ステップＳ４でＮＯ）が、図１５のように直接入力する旨の設定モード４１が選択された場合は（ステップＳ３１でＹＥＳ）、図示しないが、相手先コード及び相手先名の入力を求める旨のメッセージが表示部１０に表示される（ステップＳ３２）。このメッセージも、フラッシュメモリ３に記憶されている。
【００４０】
そして、操作部９により相手先コード及び相手先名が入力され（ステップＳ３３）、相手先コード及び相手先名として、入力された相手先コード及び相手先名が設定された（ステップＳ３４）後、図１２のステップＳ９に進む。
【００４１】
図１５のステップＳ３１において、直接入力する旨の設定モード４１が選択されていない（ステップＳ３１でＮＯ）が、図１６のように受信履歴から呼び出す旨の設定モード４１が選択された場合は（ステップＳ４１でＹＥＳ）、図９に示すように、表示部１０に受信履歴情報４８が一覧表示されると共に、受信履歴情報４８の選択を求める旨のメッセージ４７が表示される（ステップＳ４２）。
【００４２】
そして、操作部９により受信履歴情報４８が選択され（ステップＳ４３）、選択された受信履歴情報４３から相手先コード（例えば「075-123-4567」）及び相手先名（例えば「Ａショウジ」）が抽出された（ステップＳ４４）後、図１２のステップＳ８に進む。
【００４３】
図１６のステップＳ４１において、受信履歴から呼び出す旨の設定モード４１が選択されていない場合（ステップＳ４１でＮＯ）、即ち、送信履歴から呼び出す旨の設定モード４１が選択された場合は、図１７のように表示部１０に受信履歴情報４８と同様の図示しない送信履歴情報が一覧表示されると共に、送信履歴情報の選択を求める旨の図示しないメッセージが表示される（ステップＳ５１）。このメッセージも、フラッシュメモリ３に記憶されている。
【００４４】
そして、操作部９により送信履歴情報が選択され（ステップＳ５２）、選択された送信履歴情報から相手先コード（例えば「075-123-4567」）及び相手先名（例えば「Ａショウジ」）が抽出された（ステップＳ５３）後、図１２のステップＳ８に進む。
【００４５】
図１３のステップＳ１１において、品番のバーコードを読み取る旨の設定モード４３が選択されていない場合（ステップＳ１１でＮＯ）、即ち、品番を直接入力する旨の設定モード４３が選択された場合は、図示しないが、品番の入力を求める旨のメッセージが表示部１０に表示される（ステップＳ６１）。このメッセージも、フラッシュメモリ３に記憶されている。
【００４６】
そして、操作部９により品番が入力され（ステップＳ６２）、ラベルシート３１の品番として、入力された品番が設定された（ステップＳ６３）後、ステップＳ１７に進む。
【００４７】
図１３のステップＳ１８において、設定された品番が印刷テンプレートデータベースに登録されていない場合は（ステップＳ１８でＮＯ）、図１８に示すように、図５のようなＵＲＬデータベースが検索される（ステップＳ７１）。ここで、設定された品番に対応するＵＲＬがＵＲＬデータベースに登録されている場合は（ステップＳ７２でＹＥＳ）、設定された品番に対応するＵＲＬが抽出される（ステップＳ７３）。
【００４８】
そして、抽出されたＵＲＬであるダウンロードサイト２３にインターネット２２を介してアクセスし、設定された品番に対応する印刷テンプレートがダウンロードされた（ステップＳ７４）後、ラベルシート３１の印刷テンプレートとして、ダウンロードされた印刷テンプレートが設定され（ステップＳ７５）、図１４のステップＳ２１に進む。このように、ラベルシート３１の印刷テンプレートとして、ダウンロードされた印刷テンプレートを設定するように構成しておけば、記憶手段により記憶されていない印刷テンプレートを必要に応じてダウンロードするだけで対応できると共に、記憶手段の記憶容量を節約できるという利点がある。なお、ダウンロードサイト２３は、インターネット２２の他、ＬＡＮ２１やＰＳＴＮ２４等の適宜のネットワークに接続されていてもよい。即ち、抽出されたＵＲＬであるダウンロードサイト２３に、適宜のネットワークを介してアクセスするように構成してもよい。
【００４９】
図１８のステップＳ７２において、設定された品番に対応するＵＲＬがＵＲＬデータベースに登録されていない場合は（ステップＳ７２でＮＯ）、図示しないが、印刷テンプレート設定情報の入力を求める旨のメッセージが表示部１０に表示される（ステップＳ８１）。
【００５０】
そして、操作部９により印刷テンプレート設定情報が入力され（ステップＳ８２）、入力された印刷テンプレート設定情報に基づいて印刷テンプレートが生成された（ステップＳ８３）後、ラベルシート３１の印刷テンプレートとして、生成された印刷テンプレートが設定され（ステップＳ８４）、図１４のステップＳ２１に進む。印刷テンプレート設定情報としては、用紙サイズ、ラベル３３の面数（剥離紙３２上のラベル３３の枚数）、ラベル３３の配列タイプ、余白等が挙げられる。
【００５１】
図１４のステップＳ２９において、ワンタッチキーで呼び出す旨の設定モード４１が選択されていなかった場合は（ステップＳ２９でＮＯ）、図８及び図１９に示すように、相手先コード及び相手先名をワンタッチダイヤルデータベースに登録するか否かの回答４５及びその回答４５の選択を求める旨のメッセージ４６が表示部１０に表示される（ステップＳ９１）。
【００５２】
そして、図８及び図１９のように相手先コード及び相手先名をワンタッチダイヤルデータベースに登録する旨の回答４５が操作部９により選択された場合は（ステップＳ９２でＹＥＳ）、図示しないが、ワンタッチキーの操作を求める旨のメッセージが表示される（ステップＳ９３）。このメッセージも、フラッシュメモリ３に記憶されている。
【００５３】
次いで、操作部９のうちのワンタッチキーが操作された（ステップＳ９４）後、操作されたワンタッチキーの番号と、相手先コード及び相手先名とが対応付けてワンタッチダイヤルデータベースに格納され（ステップＳ９５）、図１４のように処理が終了する。
【００５４】
上記のように構成された画像通信装置１によれば、設定された印刷テンプレートに基づいて、設定された相手先名５４及び変換されたバーコード５５をラベルシート３１の各ラベル３３にそれぞれ印刷できるので、相手先コード５６を示すバーコード５５や相手先名５４を効率良く印刷できるという利点がある。また、ラベル３３には相手先コード５６を示すバーコード５５の他に相手先名５４も印刷されているので、誤ったラベル３３が原稿５１に貼り付けられるのを防止できるという利点がある。
【産業上の利用可能性】
【００５５】
以上のように、本発明に係る画像通信装置は、相手先コードを示すバーコード又は２次元コードや相手先名を効率良く印刷するのに適している。
【図面の簡単な説明】
【００５６】
【図１】実施形態に係る画像通信装置の構成例を示すブロック図。
【図２】ラベルシートの一例を示す平面図。
【図３】印刷テンプレートデータベースの構成例を示すデータテーブル。
【図４】ワンタッチダイヤルデータベースの構成例を示すデータテーブル。
【図５】ＵＲＬデータベースの構成例を示すデータテーブル。
【図６】相手先コード及び相手先名の設定モードが一覧表示されると共に、設定モードの選択を求める旨のメッセージが表示された画面の一例を示す説明図。
【図７】ラベルシートの品番の設定モードが一覧表示されると共に、設定モードの選択を求める旨のメッセージが表示された画面の一例を示す説明図。
【図８】相手先コード及び相手先名をワンタッチダイヤルデータベースに登録するか否かの回答、並びにその回答の選択を求める旨のメッセージが表示された画面の一例を示す説明図。
【図９】受信履歴情報が一覧表示されると共に、受信履歴情報の選択を求める旨のメッセージが表示された画面の一例を示す説明図。
【図１０】相手先名、相手先コードを示すバーコード、及び相手先コードが印刷されたラベルを原稿に貼り付けた状態を示す平面図。
【図１１】ラベルシートのパッケージの一例を示す斜視図。
【図１２】ラベルシートへの印刷処理の一部を示すフローチャート。
【図１３】ラベルシートへの印刷処理の一部を示すフローチャート。
【図１４】ラベルシートへの印刷処理の一部を示すフローチャート。
【図１５】ラベルシートへの印刷処理の一部を示すフローチャート。
【図１６】ラベルシートへの印刷処理の一部を示すフローチャート。
【図１７】ラベルシートへの印刷処理の一部を示すフローチャート。
【図１８】ラベルシートへの印刷処理の一部を示すフローチャート。
【図１９】ラベルシートへの印刷処理の一部を示すフローチャート。
【図２０】相手先名、相手先コードを示すバーコード、及び相手先コードをラベルシートの各ラベルにそれぞれ印刷した状態を示す平面図。
【符号の説明】
【００５７】
１  画像通信装置
２  制御部
３  フラッシュメモリ
４  ＲＡＭ
５  ページメモリ
６  画像メモリ
７  記録部
８  ＬＡＮインターフェース
９  操作部
１０  表示部
１１  コーデック
１２  読取部
２１  ＬＡＮ（ネットワーク）
２２  インターネット（ネットワーク）
２３  ダウンロードサイト
２４  ＰＳＴＮ（ネットワーク）
３１  ラベルシート
３３  ラベル
５２  ラベルシートの品番を示すバーコード
５３  パッケージ（表示物）
５４  相手先名
５５  相手先コードを示すバーコード
５６  相手先コード
【図１】
2007166546.tif 000003
【図２】
2007166546.tif 000004
【図３】
2007166546.tif 000005
【図４】
2007166546.tif 000006
【図５】
2007166546.tif 000007
【図６】
2007166546.tif 000008
【図７】
2007166546.tif 000009
【図８】
2007166546.tif 000010
【図９】
2007166546.tif 000011
【図１０】
2007166546.tif 000012
【図１１】
2007166546.tif 000013
【図１２】
2007166546.tif 000014
【図１３】
2007166546.tif 000015
【図１４】
2007166546.tif 000016
【図１５】
2007166546.tif 000017
【図１６】
2007166546.tif 000018
【図１７】
2007166546.tif 000019
【図１８】
2007166546.tif 000020
【図１９】
2007166546.tif 000021
【図２０】
2007166546.tif 000022